(57)【要約】【課題】装置の低背化を図ることができるとともに、振動や衝撃に対する耐性が考慮された複合型の記録装置を提供する。【解決手段】インクジェットプリンター１は、記録ユニット２にスキャナーユニット３が回動可能に連結された複合型の記録装置である。スキャナーユニット３は、読み取りユニット４３をガイドするガイドレール４２が配設された突状部４１を備える。ユニット奥行き方向において、ユニット手前側から奥方に向かってキャリッジ２９、突状部４１、スキャナーユニットの回動軸４０、の順に配置されており、ユニット奥行き方向において突状部４１は、スキャナーユニット３の中央位置Ｙｃより回動軸４０の側に配置される。【選択図】図２
2014014940.tif 000002
【特許請求の範囲】
【請求項１】
記録を行う記録ヘッドを備えた記録ユニットと、
前記記録ユニットの上部に設けられ、回動することにより前記記録ユニット上部を開閉可能なスキャナーユニットとを備え、
前記記録ユニットは、前記記録ヘッドの走査方向に移動可能なキャリッジを備え、
前記スキャナーユニットは、前記記録ヘッドの走査方向に沿って走査する読み取りユニットを前記走査方向に案内するガイド部が配設された、前記スキャナーユニットの底面から突出する突状部を備え、
前記記録ヘッド及び前記読み取りユニットの走査方向と交差する方向である前記記録ユニット及び前記スキャナーユニットの奥行き方向において、ユニット手前側から奥方に向かって前記キャリッジ、前記突状部、前記スキャナーユニットの回動軸、の順に配置されており、
前記奥行き方向において前記突状部は、前記スキャナーユニットの中央位置より前記回動軸の側に配置されている、
ことを特徴とする記録装置。
【請求項２】
請求項１に記載の記録装置において、前記キャリッジと前記突状部とは、前記記録ユニット及び前記スキャナーユニットの高さ方向においてオーバーラップしている、
ことを特徴とする記録装置。
【請求項３】
請求項１または２に記載の記録装置において、前記記録ユニットは、前記奥行き方向においてユニット後部に、媒体を反転させる反転ローラーを備え、
前記突状部と前記反転ローラーは、前記奥行き方向において位置をずらして配置されている、
ことを特徴とする記録装置。
【請求項４】
請求項１または２に記載の記録装置において、前記記録ユニットは、前記奥行き方向においてユニット後部に、媒体を反転させる反転ユニットを着脱自在に備え、
前記突状部は、前記反転ユニットの一部と高さ方向においてオーバーラップしていることを特徴とする記録装置。
【請求項５】
請求項１から４に記載の記録装置において、前記突状部の一部に前記読み取りユニットを駆動するスキャナーモーター部が形成され、
前記スキャナーモーター部は、前記スキャナーユニットが閉じた状態において前記記録ユニット上部の凹部に配置される、
ことを特徴とする記録装置。
【発明の詳細な説明】
【技術分野】
【０００１】
本発明は、記録ユニットと、該記録ユニットの上部に設けられ、回動することにより当該記録ユニット上部を開閉可能に設けられたスキャナーユニットとを備える記録装置に関する。
【背景技術】
【０００２】
近年、記録ユニットとスキャナーユニットとを一体に備えた、複合機と呼ばれる記録装置、その中でも特にインクジェット複合機が広く出回っている。スキャナーユニットは、読み取りユニットを備えており、この読み取りユニットはガイドレールによって走査方向に案内される。
【０００３】
スキャナーユニットは、構成のレイアウト上、底面から突出する突状部を設け、この突状部内に上記ガイドレールを配設する場合がある。その様に構成しないと、スキャナーユニット全体の厚みが増し、インクジェット複合機全体として装置の高さ方向寸法が増大するからである。特許文献１には、その様な突状部を備えたインクジェット複合機が開示されている。
【先行技術文献】
【特許文献】
【０００４】
【特許文献１】特開２０１２−１０７３９３号公報
【発明の概要】
【発明が解決しようとする課題】
【０００５】
近年、インクジェット複合機にはより一層の小型化が求められており、特に低背化（装置の高さ方向寸法の縮小化）の要請が著しい。一方、スキャナーユニットは読み取りユニットを備える関係上、振動や衝撃に対してより一層耐性を備えることが望まれる。
【０００６】
そこで本発明はこの様な状況に鑑みなされたものであり、その目的は、装置の低背化を図ることができるとともに、振動や衝撃に対する耐性が考慮された複合型の記録装置を提供することにある。
【課題を解決するための手段】
【０００７】
上記課題を解決する為の、本発明の第１の態様に係る記録装置は、記録を行う記録ヘッドを備えた記録ユニットと、前記記録ユニットの上部に設けられ、回動することにより前記記録ユニット上部を開閉可能なスキャナーユニットとを備え、前記記録ユニットは、前記記録ヘッドの走査方向に移動可能なキャリッジを備え、前記スキャナーユニットは、前記記録ヘッドの走査方向に沿って走査する読み取りユニットを前記走査方向に案内するガイド部が配設された、前記スキャナーユニットの底面から突出する突状部を備え、前記記録ヘッド及び前記読み取りユニットの走査方向と交差する方向である前記記録ユニット及び前記スキャナーユニットの奥行き方向において、ユニット手前側から奥方に向かって前記キャリッジ、前記突状部、前記スキャナーユニットの回動軸、の順に配置されており、前記奥行き方向において前記突状部は、前記スキャナーユニットの中央位置より前記回動軸の側に配置されていることを特徴とする。
【０００８】
本態様によれば、第１にスキャナーユニットの突状部とキャリッジとが、ユニット奥行き方向において位置をずらして配置されるので、突状部とキャリッジとを重畳して配置する必要がなく、突状部とキャリッジとを重畳して配置する構成に比して装置の低背化を図ることができる。
【０００９】
次に、第２に突状部は読み取りユニットを案内するガイド部が配設される為、突状部の位置では重量が増加し易く、スキャナーユニットの重心位置は突状部の位置に近づき易い。しかし突状部は、ユニット奥行き方向においてスキャナーユニットの中央位置よりスキャナーユニットの回動軸の側に配置されるので、スキャナーユニットの回動に伴う突状部の移動量、つまりスキャナーユニットの重心位置の移動量を、少量に抑えることができる。
【００１０】
この為、スキャナーユニットを開閉する際の衝撃や振動を抑えることができ、また軽い力でスキャナーユニットを回動させることができる。以上により、本態様によれば、装置の低背化を図ることができるとともに、振動や衝撃に対する耐性が考慮された複合型の記録装置を得ることができる。
【００１１】
本発明の第２の態様は、第１の態様において、前記キャリッジと前記突状部とは、前記記録ユニット及び前記スキャナーユニットの高さ方向においてオーバーラップしていることを特徴とする。
【００１２】
本態様によれば、キャリッジと突状部とが、ユニット高さ方向においてオーバーラップしているので、キャリッジと突状部とを重畳して配置する構成に比して装置の低背化を図ることができる。
【００１３】
本発明の第３の態様は、第１のまたは第２の態様において、前記記録ユニットは、前記奥行き方向においてユニット後部に、媒体を反転させる反転ローラーを備え、前記突状部と前記反転ローラーは、前記奥行き方向において位置をずらして配置されていることを特徴とする。
【００１４】
媒体を反転させる反転ローラーは、その性質上大径であることが多く、装置内での占有スペースを多く必要とする。そして本態様によれば、前記突状部と前記反転ローラーが、前記奥行き方向において位置をずらして配置されているので、前記突状部と前記反転ローラーとを重畳して配置する必要がなく、前記突状部と前記反転ローラーとを重畳して配置する構成に比して装置の低背化を図ることができる。
【００１５】
本発明の第４の態様は、第１のまたは第２の態様において、前記記録ユニットは、前記奥行き方向においてユニット後部に、媒体を反転させる反転ユニットを着脱自在に備え、前記突状部は、前記反転ユニットの一部と高さ方向においてオーバーラップしていることを特徴とする。
【００１６】
本態様によれば、前記突状部は、前記反転ユニットの一部と高さ方向においてオーバーラップしているので、前記突状部と前記反転ユニットとを重畳して配置する構成に比して装置の低背化を図ることができる。
【００１７】
本発明の第５の態様は、第１から第４の態様において、前記突状部の一部に前記読み取りユニットを駆動するスキャナーモーター部が形成され、前記スキャナーモーター部は、前記スキャナーユニットが閉じた状態において前記記録ユニット上部の凹部に配置されることを特徴とする。
【図面の簡単な説明】
【００１８】
【図１】本発明に係るプリンターの外観斜視図。
【図２】本発明に係るプリンターの用紙搬送経路を示す側断面図。
【図３】本発明に係るプリンターの用紙搬送経路を示す側断面図。
【図４】本発明に係るプリンターの外観斜視図。
【図５】本発明に係るプリンターを構成するスキャナーユニットの平面図。
【図６】本発明に係るプリンターの外観斜視図。
【発明を実施するための形態】
【００１９】
以下、本発明の一実施形態を図面に基づいて説明するが、本発明は、以下説明する実施形態に限定されることなく、特許請求の範囲に記載した発明の範囲内で種々の変形が可能であり、それらも本発明の範囲内に含まれるものであることを前提として、以下本発明の一実施形態を説明するものとする。
【００２０】
図１、図４、図６は本発明に係る「記録装置」の一実施形態であるインクジェットプリンター（以下「プリンター」と言う）１の外観斜視図であり、図１、図４はプリンター１を前方側から見た図、図６は後方側から見た図である。また、図２及び図３はプリンター１の用紙搬送経路を示す側断面図である。更に、図５はスキャナーユニット３の平面図である。尚図４はスキャナーユニット３を開いた状態を、図５はスキャナーユニット３の原稿カバー４を開いた状態を、図６はプリンター１から反転ユニット９を取り外した状態を、それぞれ示している。
【００２１】
尚、図１〜図６に示すｘ−ｙ−ｚ座標系は、ｘ方向が装置（ユニット）の幅方向、ｙ方向が装置（ユニット）の奥行き方向、ｚ方向が装置（ユニット）の高さ方向を、それぞれ示している。ユニット奥行き方向であるｙ方向では、操作パネル５が設けられた側が装置（ユニット）手前側、その反対方向が装置（ユニット）後方側である。尚、各図においてはプリンター１の構成要素を適宜省略して描いている。
【００２２】
以下では先ず、プリンター１の全体構成について概説する。プリンター１は、媒体の一例としての記録用紙にインクジェット記録を行う記録ユニット２の上部にスキャナーユニット３を回動可能に備えており、即ちインクジェット記録機能に加えてスキャナー機能を備えるインクジェット複合機として構成されている。
【００２３】
スキャナーユニット３は、記録ユニット２に対して回動軸４０（図２、図３、図６）を介して回動可能に連結されており、回動することにより、閉じた状態（図１）と開いた状態（図４）とをとり得る。
【００２４】
スキャナーユニット３において上部のカバー４は開閉可能なカバーであり、当該カバー４を開放することにより、スキャナーユニット３の原稿台３９（図２、図３、図５）が表れる様になっている。
【００２５】
装置前面において符号５は、電源ボタンや各種印刷設定・記録実行を行う操作ボタン、印刷設定内容や印刷画像のプレビュー表示などを行う表示部、等を備えて成る操作パネルである。この操作パネル５はチルト可能に構成されており、ユーザーが操作し易い角度に調整できる様になっている。尚、操作パネル５の開き角は、図示しない角度保持手段により保持され、またボタン操作の為に閉方向の外力を受けた場合であってもその角度が保持される様になっている。
【００２６】
装置前面において符号３６は下段側トレイ３５に設けられた開閉可能なカバーであり、図１はカバー３６が閉じた状態を、図２及び図３はカバー３６が開いた状態を、それぞれ示している。そしてこのカバー３６を開くことにより、下段側トレイ３５、上段側トレイ３７、排紙受けトレイ８、のこれらが露呈可能となり、下段側トレイ３５や上段側トレイ３７の着脱作業や、排紙受けトレイ８のスライド動作が実行可能となる。
【００２７】
排紙受けトレイ８は、図示しないモーターによって記録ユニット２に収納された収納位置（図１）と、記録ユニット２の前方側に突出した突出位置（図２、図３）と、の間をスライド変位可能に設けられており、記録ユニット２の前方側に突出した突出位置をとることで、記録が行われて排出される記録用紙を受けることができる。
【００２８】
下段側トレイ３５と、その上部に設けられる上段側トレイ３７は、複数枚の記録用紙を収容可能であり、それぞれ記録ユニット２に対して着脱可能となっている。下段側トレイ３５には、上述したカバー３６が回動自在に設けられている。
【００２９】
続いて、記録ユニット２の後方上部において符号６は開閉可能な手差しカバーであり、この手差しカバー６を開くことにより、手差しトレイ７（図２、図３）を利用した記録用紙の手差しでの給紙が行える様になっている。
【００３０】
続いて、プリンター１の用紙搬送経路について主として図２及び図３を参照しつつ説明する。本実施形態に係るプリンター１は、装置底部に下段側トレイ３５及び上段側トレイ３７を備え、当該下段側トレイ３５或いは上段側トレイ３７から記録用紙を１枚ずつ給送する。
【００３１】
上段側トレイ３７は、給送可能位置（図２）と退避位置(図３）との間をスライド変位可能に設けられており、そして図示しないモーターの動力を受けて、給送可能位置と退避位置との間を変位する様に構成されている。
【００３２】
尚、図２及び図３においては、下段側トレイ３５に収容される用紙を符号Ｐ１で、上段側トレイ３７に収容される用紙を符号Ｐ２で、それぞれ示している（以下、特に区別する必要がない場合は「用紙Ｐ」と言う）。
【００３３】
図示しないモーターによって回転駆動される給送ローラー（ピックアップローラーとも呼ばれる）１０は、回動軸１２を中心に揺動する揺動部材１１に設けられており、上段側トレイ３７が最も装置前方側（図２及び図３において右側：上段側トレイ３７の引き抜き方向側）にスライドした状態、即ち上段側トレイ３７が退避位置にあるときは(図３）、下段側トレイ３５に収容された用紙Ｐ１の最上位のものと接して回転することにより、当該最上位の用紙Ｐ１を下段側トレイ３５から送り出す。
【００３４】
また上段側トレイ３７が最も装置後方側（図２において左側：上段側トレイ３７の装着方向側であり、用紙送り出し方向側でもある）にスライドした突き当たり位置にあるとき、即ち上段側トレイ３７の給送可能位置では（図２の状態）、給送ローラー１０が上段側トレイ３７に収容された用紙Ｐ２の最上位のものと接して回転することにより、当該最上位の用紙Ｐ２を上段側トレイ３７から送り出す。尚、図２の破線は上段側トレイ３７から送り出された用紙Ｐ２の通過軌跡を示している。
【００３５】
下段側トレイ３５及び上段側トレイ３７の先端と対向する位置には、分離斜面１４が設けられており、下段側トレイ３５或いは上段側トレイ３７から送り出される用紙Ｐは、その先端が分離斜面１４に接しながら下流側に進むことで、給送されるべき最上位の用紙Ｐと次位以降の用紙Ｐとの分離が行われる。
【００３６】
分離斜面１４の先には、図示しないモーターによって回転駆動される反転ローラー１７が設けられており、この反転ローラー１７によって用紙Ｐは湾曲反転させられ、装置前方側へと向かう。尚、符号１８、１９、２０、２１は従動回転可能な従動ローラーであり、少なくとも各トレイから送り出された用紙Ｐは、従動ローラー１９と反転ローラー１７とによってニップされ、また従動ローラー２０と反転ローラー１７とによってニップされて、下流側へと送られる。
【００３７】
反転ローラー１７の先には、図示しないモーターによって回転駆動される搬送駆動ローラー２４と、該搬送駆動ローラー２４に接して従動回転する搬送従動ローラー２５とが設けられており、これらローラーによって用紙Ｐが記録ヘッド３０の下へと送られる。
【００３８】
続いて記録を行う記録部を構成する、インクを吐出する記録ヘッド３０は、キャリッジ２９の底部に設けられている。当該キャリッジ２９は、後方に設けられた第１ガイド板２２と前方に設けられた第２ガイド板２３とによってガイドされながら（支持されながら）、図示しないモーターによって記録ヘッド３０の走査方向（ｘ方向：図２の紙面表裏方向）に往復動する様に駆動される。
【００３９】
記録ヘッド３０と対向する位置には支持部材２８が設けられ、当該支持部材２８によって、用紙Ｐと記録ヘッド３０との間の間隔が規定される。そして支持部材２８の下流側には、図示しないモーターによって回転駆動される排出駆動ローラー３１と、当該排出駆動ローラー３１に接して従動回転する排出従動ローラー３２とを備えた排出手段が設けられている。記録ヘッド３０によって記録の行われた用紙Ｐは、これらローラーにより、上述した排紙受けトレイ８へ向けて排出される。
【００４０】
ところで記録ユニット２は、装置後部に反転ユニット９を着脱自在に備えている。反転ユニット９は、反転ローラー１７、従動ローラー１８〜２１を備えたユニット体であり、装置後部の開口部２ａ（図６）に対し着脱可能に構成されている。これにより用紙搬送経路において紙詰まりが生じた場合には、反転ユニット９を取り外すことで詰まった用紙を容易に取り除くことができる。
【００４１】
また、記録ユニット２は、おもて面（第１面）に記録が行われた用紙Ｐを排出せず、バックフィードして反転ローラー１７へと搬送し、当該反転ローラー１７により湾曲反転させてうら面（第２面）へ記録を実行できる様になっている。図３において符号Ｐｔで示す破線は、湾曲反転させられる用紙の通過軌跡を示している。
【００４２】
続いて、スキャナーユニット３の構成について説明する。スキャナーユニット３は、回動軸４０（図２、図３、図６）を介して記録ユニット２に回動可能に連結されており、回動することにより記録ユニット２の上部を開閉する。スキャナーユニット３が開いた状態では、記録ユニット２の内部にアクセス可能となり、例えばキャリッジ２９に搭載されたインクカートリッジ（不図示）の交換作業や紙ジャム処理などを行える様になっている。
【００４３】
スキャナーユニット３は、記録ヘッド３０の走査方向と同方向であるｘ方向に沿って走査する読み取りユニット４３が設けられている。読み取りユニット４３は、ＣＩＳ（Contact Image Sensor）或いはＣＣＤ（Charge Coupled Device）などのイメージセンサーを搭載して成る。
【００４４】
読み取りユニット４３は、ｙ方向に長い形状を成し、不図示の駆動源から動力を得て、ｘ方向に延設されたガイド部としてのガイドレール４２にガイドされながら、ｘ方向に移動する。尚、読み取りユニット４３において符号４４は、ガイドレール４２と摺接する被ガイド部である。また、符号４６はスキャナーユニット３の内側底部と接して従動回転する従動ローラーである。原稿台３９に対する読み取りユニット４３の平行（姿勢）は、被ガイド部４４と従動ローラー４６とによって保たれる。
【００４５】
スキャナーユニット３の底面４５には、当該底面４５から記録ユニット２の側へ突出する様に、ｘ方向に延設された突状部４１が設けられている。突状部４１は、ガイドレール４２を配設する為の突状部であり、キャリッジ２９の走行領域に面する傾斜面４１ａと、両面ユニット９に面する垂直面４１ｂと、によってユニット奥行き方向（ｙ方向）の占有領域が構成されている。
【００４６】
以上説明したプリンター１の構成において、図２及び図３の符号Ａ１はユニット奥行き方向（ｙ方向）におけるキャリッジ２９の占有領域、符号Ａ２は突状部４１の占有領域、符号Ａ３は反転ローラー１７の占有領域、をそれぞれ示している。
【００４７】
図示する様に、本実施形態に係るプリンター１は、ユニット奥行き方向において、ユニット手前側（図２及び図３において右側）から奥方（図２及び図３において左側）に向かってキャリッジ２９、突状部４１、スキャナーユニット３の回動軸４０、の順に配置されており、ユニット奥行き方向において突状部４１は、スキャナーユニット３の中央位置（図２及び図３において位置Ｙｃ（ｙ１＝ｙ２））より回動軸４０の側に配置されている。
【００４８】
即ち、スキャナーユニット３の突状部４１とキャリッジ２９とが、ユニット奥行き方向において位置をずらして配置されるので、突状部４１とキャリッジ２９とを重畳して配置する必要がない。このため、キャリッジ２９と突状部４１とを、高さ方向（ｚ方向）でオーバーラップさせることができる。従って本実施形態によれば、突状部４１とキャリッジ２９とを重畳して配置する構成に比して装置の低背化を図ることができる。
【００４９】
次に、第２に突状部４１は読み取りユニット４３を案内するガイドレール４２が配設される為、ユニット奥行き方向におけるスキャナーユニット３の重心位置は突状部４１の位置に近くなる。そして突状部４１はユニット奥行き方向においてスキャナーユニット３の中央位置Ｙｃより回動軸４０の側に配置されるので、スキャナーユニット３の回動に伴う突状部４１の移動量、つまりスキャナーユニット３の重心位置の移動量を、少量に抑えることができる。
【００５０】
この為、スキャナーユニット３を開閉する際の衝撃や振動を抑えることができ、また軽い力でスキャナーユニット３を回動させることができる。以上により、本実施形態に係るプリンター１によれば、装置の低背化を図ることができるとともに、振動や衝撃に対する耐性が考慮された複合型のインクジェット記録装置を得ることができる。
【００５１】
ところで、プリンター１は既に説明したように装置後部には反転ユニット９を着脱自在に備えている。そして図２及び図３から明かな様に、突状部４１と反転ローラー１７が、ユニット奥行き方向において位置をずらして配置されている。従って突状部４１と反転ローラー１７とを重畳して配置する必要がなく、両者を高さ方向でオーバーラップさせることができるので、突状部４１と反転ローラー１７とを重畳して配置する構成に比して装置の低背化を図ることができる。
【００５２】
また本実施形態では、突状部４１は、反転ユニット９の一部と高さ方向においてオーバーラップしているので、突状部４１と反転ユニット９とを重畳して配置する構成に比して装置の低背化を図ることができる。
【符号の説明】
【００５３】
１  インクジェットプリンター、２  記録ユニット（装置本体）、２ａ  開口部、３  スキャナーユニット、４  原稿カバー、５  操作パネル、６  手差しカバー、７  手差しトレイ、８  排紙受けトレイ、９  反転ユニット、１０  給送ローラー、１１  揺動部材、１２  回動軸、１４  分離斜面、１６  両面ユニット、１７  反転ローラー、１８〜２１  従動ローラー、２４  搬送駆動ローラー、２５  搬送従動ローラー、２８  支持部材、２９  キャリッジ、３０  記録ヘッド、３１  排出駆動ローラー、３２  排出従動ローラー、３５  下段側トレイ、３６  カバー、３７  上段側トレイ、３９  原稿台、４０  回動軸、４１  突状部、４２  ガイドレール、４３  読み取りユニット、４４  被ガイド部、４５  底面、４６  従動ローラー、Ｐ、Ｐ１、Ｐ２  記録用紙
【図１】
2014014940.tif 000003
【図２】
2014014940.tif 000004
【図３】
2014014940.tif 000005
【図４】
2014014940.tif 000006
【図５】
2014014940.tif 000007
【図６】
2014014940.tif 000008